(57)【特許請求の範囲】
【請求項１】
本体部（１）とブラシ部（２Ａ）とを備えており、ブラシ部（２Ａ）の表面に、加熱された空気、冷却された空気、水蒸気または水分が付加された空気、マイナスイオンまたはオゾンが付加された空気などの加処理空気の吹出口（５２）が開口してある整髪器具であって、
前記吹出口（５２）の開口に突起体（５０）が設けてあり、
突起体（５０）が、吹出口（５２）の開口の中央を跨ぐ歯基部（５８）と、歯基部（５８）の外面に突設される複数の歯本体（５９）とを備えており、
複数の歯本体（５９）がブラシ部（２Ａ）の機軸中心に沿って直線列状に形成してあることを特徴とする整髪器具。
【請求項２】
前記吹出口（５２）の周囲を囲むブラシ部（２Ａ）の表面に、一群のブリッスル（３６）が設けてある請求項１に記載の整髪器具。
【請求項３】
突起体（５０）のブラシ部（２Ａ）の表面における突出高さ（Ｈ２）が、ブリッスル（３６）のブラシ部（２Ａ・２Ｂ）の表面における突出高さ（Ｈ１）より小さく設定してある請求項２に記載の整髪器具。
【発明の詳細な説明】
【技術分野】
【０００１】
本発明は、加熱された空気、冷却された空気、水蒸気または水分が添加された空気、マイナスイオンまたはオゾンが添加された空気などの、何らかの処理が加えられた空気（以下、単に加処理空気という。）を吹き出し供給できる整髪器具に関する。整髪器具は、髪を梳き流すためのブリッスルを備えている。
【背景技術】
【０００２】
この種の整髪器具においては、吹出口から加処理空気を吹き出し供給して、髪の乾燥を促進し、あるいは髪に潤いを与え、あるいはくせ付け効果を増進するなど、髪処理効果の向上を図っている。たとえば、特許文献１のヘアーセッターでは、本体ケースの内部にヒータを配置し、本体ケースの吹出口に固定したホルダーの内部にマイナスイオンを生成する放電ユニットを配置している。ホルダーには、ロールブラシやブローブラシなどのアタッチメントを付け換えることができ、ホルダーの表面には開口面積が大きな４個のイオン送出口と、開口面積が小さな一群の通気口とが開口してある。また、ホルダーに装着されるロールブラシおよびブローブラシの表面には、一群の櫛歯やブリッスルが設けてあり、さらに先のイオン送出口に対応する複数個のイオン出口や、一群の通気口とが開口してある。空気に何らかの処理を加えること以外に、髪が巻き付けられた振動体に超音波領域の機械的振動を与えて髪処理を行なう髪処理器具も提案されている（特許文献２）。
【０００３】
本発明では、ブラシの表面にブリッスルと、ブリッスルより短い軟質材製の櫛歯体を設けるが、このようなブラシ構造は特許文献３のヘアーブラシに公知である。特許文献３のブローブラシでは、ブラシ台の部分円弧状の表面に硬質材からなる長寸のブリッスルと、軟質材からなる短寸のブリッスルを設けている。同様のブラシ構造は特許文献４にも見ることができ、そこではロールブラシやブローブラシの表面に、プラスチック製の長寸のブリッスルと、ゴム製で短寸の弾性突起を設けている。
【先行技術文献】
【特許文献】
【０００４】
【特許文献１】特開２００７−１０５１４４号公報（段落番号００４０、図２）
【特許文献２】特開平０９−２６２１２３号公報（段落番号００１３、図３）
【特許文献３】実公平０２−０４６７４０号公報（第２頁３欄１３〜２４行、第３図）
【特許文献４】実開昭５９−００１３０１号公報（第５頁１〜２０行、第４図、第８図）
【発明の概要】
【発明が解決しようとする課題】
【０００５】
特許文献１のヘアーセッターによれば、加熱された空気とマイナスイオンとを同時に吹き出し供給しながら、髪をブローブラシで梳き流してブロー処理でき、あるいは髪をロールブラシでロール状にくせ付けできる。しかし、いずれの場合にも、ホルダーのイオン送出口から送出されたマイナスイオンの大半を、イオン送出口と正対するイオン出口から供給するため、マイナスイオンを髪に対して局部的にしか付着させることができない。また、イオン出口を通過する髪に対してテンション（摩擦抵抗）を付与できない。さらに、イオン出口の外面を通過する髪が、イオン出口から浮き離れやすいため、イオン出口を通過する髪に対してマイナスイオンを効果的に付着させることができない。
【０００６】
本発明の目的は、加処理空気の吹出口、および吹出口の周辺構造を好適化して、吹出口の外面を通過する髪に対してテンションを付与でき、さらに、加処理空気と髪との接触機会を増加し髪処理効果を向上できる整髪器具を提供することにある。
【課題を解決するための手段】
【０００７】
本発明に係る整髪器具は、本体部１とブラシ部２Ａとを備えており、ブラシ部２Ａの表面に、加熱された空気、冷却された空気、水蒸気または水分が付加された空気、マイナスイオンまたはオゾンが付加された空気などの加処理空気の吹出口５２が開口してある。図６に示すように吹出口５２の開口に突起体５０が設けてある。突起体５０が、吹出口５２の中央を跨ぐ歯基部５８と、歯基部５８の外面に突設される複数の歯本体５９とを備えている。複数の歯本体５９がブラシ部２Ａの機軸中心に沿って直線列状に形成してあることを特徴とする。
【０００８】
吹出口５２の周囲を囲むブラシ部２Ａの表面には、一群のブリッスル３６を設ける。
【０００９】
図９に示すように、突起体５０のブラシ部２Ａの表面における突出高さＨ２を、ブリッスル３６のブラシ部２Ａの表面における突出高さＨ１より小さく設定する。
【００１０】
ブラシ部２Ａの表面を軟質弾性材で形成したブラシベース３４で覆う。ブラシベース３４より硬質の素材で形成したブリッスル３６を、ブラシベース３４の表面から突出する。突起体５０は、ブラシベース３４と同等の軟質弾性材で形成する。
【００１１】
突起体５０はブラシベース３４と一体に形成する。
【００１２】
図１に示すように突起体５０は、吹出口５２を跨ぐ歯基部５８と、歯基部５８の外面に突設される複数の歯本体５９とを備えている。
【００１３】
吹出口５２はブラシベース３４に装着した吹出口枠４７で区画する（図６参照）。突起体５０の歯基部５８の上下端を吹出口枠４７で受け止め保持する（図１参照）。
【００１４】
隣接する歯本体５９の間を通過する髪に抵抗を付与する摩擦突起６０を、隣接する歯本体５９の間の歯基部５８の外面に設ける。歯本体５９および摩擦突起６０のそれぞれは、吹出口枠４７の表面より外面に突出させる（図１０参照）。
【００１５】
隣接する歯本体５９は摩擦突起６０を介して繋がっている（図１参照）。
【００１６】
髪梳き方向に沿う摩擦突起６０の断面形状は山形に形成する（図１０参照）。
【００１７】
ブラシベース３４と正対する状態における歯本体５９の形状を、ひし形に形成する。
【００１８】
ブラシベース３４の両側面にテンションコーム６３を一体に形成する。ブリッスル３６のブラシベース３４の表面からの突出高さをＨ１、歯本体５９の吹出口枠４７の表面からの突出高さをＨ２、テンションコーム６３のブラシベース３４の側面からの突出寸法をＨ３とするとき、各寸法が不等式（Ｈ１＞Ｈ２＞Ｈ３）を満足するように設定する（図９参照）。
【００１９】
ブリッスル３６および突起体５０の歯本体５９は、それぞれブラシ部２Ａの機軸中心に沿って直線列状に形成する。図７に示すように、歯本体５９の機軸中心方向の隣接ピッチＰ２を、ブリッスル３６の機軸中心方向の隣接ピッチＰ１より小さく設定する。
【００２０】
ブラシベース３４およびブリッスル３６は、ブラシベース３４の内面に設けたブラシホルダー３３で支持する。ブラシホルダー３３の外面に設けた規制枠６１で、突起体５０の内端を受け止める。
【発明の効果】
【００２１】
本発明の整髪器具においては、ブラシ部２Ａの表面に吹出口５２を開口し、吹出口５２の開口に突起体５０を設けて、吹出口５２の外面を通過する髪を突起体５０で梳き流しながら、吹出口５２から供給した加処理空気を髪に付着できるようにした。したがって、本発明の整髪器具によれば、吹出口５２から供給される加処理空気を、突起体５０で梳き流された髪に対して、確実に付着でき、全体として、加処理空気と髪との接触機会を増加して髪処理効果を向上できる。また、吹出口５２の外面を通過する髪に対して突起体５０で適度のテンションを付与してゆっくりと滑らせることができる。したがって、加処理空気を髪に対して確実に接触させながら的確に髪処理できる。
【００２２】
吹出口５２の周囲を囲むブラシ部２Ａの表面に一群のブリッスル３６を設けると、ブリッスル３６と突起体５０との協同作用で髪を梳き流すことができる。詳しくは、吹出口５２の周囲に設けたブリッスル３６で髪を捕捉したうえで、吹出口５２の外面においても突起体５０で髪を捕捉できる。したがって、整髪効果を十分に発揮できるのはもちろん、吹出口５２の外面を通過する髪を、ブリッスル３６と突起体５０で確りと保持した状態の下に、吹出口５２から供給される加処理空気と接触させて、加処理空気の髪に対する浸透度合をさらに向上できる。
【００２３】
突起体５０のブラシ部２Ａの表面における突出高さＨ２を、ブリッスル３６のブラシ部２Ａの表面における突出高さＨ１より小さく設定するのは、突起体５０で梳き流される髪に余分な摩擦抵抗が作用するのを避けて、髪に程よい引っ張り力（テンション）を作用させるためである。因みに、突起体５０がブリッスル３６と同じ突出高さにしてある場合には、吹出口５２の外面を通過する髪に過大な引っ張り力が作用するので、髪を円滑に梳き流すことができないうえ、髪を傷めることにもなる。
【００２４】
ブラシ部２Ａの表面を軟質弾性材で形成したブラシベース３４で覆うと、ブラシベース３４と接触する髪に適度のテンションを与えながら、ブラシベース３４より硬質の素材で形成したブリッスル３６で捕捉した髪をゆっくりと滑らせることができる。また、突起体５０をブラシベース３４と同等の軟質弾性材で形成することにより、突起体５０で捕捉されて吹出口５２の外面を通過する髪に、適度のテンションを付与してゆっくりと滑らせることができる。したがって、髪にウェーブを与え、あるいは髪をカールするなどの髪処理を、使用者の意図通りに的確に行なうことができる。
【００２５】
突起体５０をブラシベース３４と一体に形成すると、ブラシベース３４の成形時に突起体５０を同時に形成できるので、突起体５０を別途形成する手間と、突起体５０をブラシベース３４に組み付ける手間とを省くことができ、その分だけ整髪器具の製造コストを削減できる。
【００２６】
吹出口５２を跨ぐ歯基部５８と、歯基部５８の外面に突設される複数の歯本体５９などで突起体５０を構成すると、突起体５０の構造強度を向上して歯本体５９を歯基部５８で確りと支持でき、髪を歯本体５９で的確に梳き流すことができる。また、吹出口５２の外面を通過する髪を複数の歯本体５９で梳き流すので、髪の絡みを解きほぐして小さな髪束に分化でき、さらに髪が吹出口５２から浮き離れるのを防止できる。さらに、歯本体５９を個別に形成する場合に比べて、突起体５０の製造や組み立ての手間を軽減できる。
【００２７】
ブラシベース３４に装着した吹出口枠４７で吹出口５２を区画し、歯基部５８の上下端を吹出口枠４７で受け止め保持すると、突起体５０を吹出口枠４７でさらに安定した状態で保持固定できる。したがって、整髪時に突起体５０が大きく撓むのを規制して、突起体５０による整髪作用を十分に発揮できるうえ、吹出口５２の開口形状を適正な状態に維持して、加処理空気の送給を常に確実に行なうことができる。
【００２８】
隣接する歯本体５９の間の歯基部５８の外面に摩擦突起６０を設けると、吹出口５２の外面を通過する髪に対して、歯本体５９および摩擦突起６０で適度の摩擦抵抗を付与できる。詳しくは、吹出口５２の外面を通過する髪に対して、ブリッスル３６のみで捕捉された髪に作用する摩擦抵抗に比べて、より大きな摩擦抵抗を付与できる。これにより、吹出口５２の外面を通過する髪を使用者の意図通りに梳き流して、髪にウェーブを与え、あるいは髪をカールするなどの髪処理を的確に行なうことができる。
【００２９】
隣接する歯本体５９を摩擦突起６０を介して繋ぐと、歯本体５９を摩擦突起６０で補強して、隣接する歯本体５９が近接する向きや離反する向きに倒れこむのを摩擦突起６０で規制できる。したがって、整髪器具の取り扱いが使用者によって大きく異なるような場合であっても、歯本体５９による整髪処理を安定した状態で的確に行なえる。
【００３０】
髪梳き方向に沿う摩擦突起６０の断面形状を山形に形成すると、摩擦突起６０の表面積を大きくでき、吹出口５２の外面を通過する髪と摩擦突起６０が接触する機会を増加できる。また、髪と摩擦突起６０の接触機会が増える分だけ、摩擦突起６０に接触する髪により大きな引っ張り力を与えて、髪を使用者の意図に沿って梳き整えることができ、髪処理をさらに的確に行なうことができる。
【００３１】
ブラシベース３４と正対する状態における歯本体５９の形状をひし形に形成すると、隣接する歯本体５９の間に隘路を形成することができる。したがって、隣接する歯本体５９の間を通過する髪を、ひし形の歯本体５９でしごくようにブラッシングできる。また、歯本体５９に接触する髪により大きな引っ張り力を与えて、髪を使用者の意図に沿って梳き整えることができる。
【００３２】
ブリッスル３６の突出高さＨ１と、歯本体５９の突出高さＨ２と、テンションコーム６３の突出寸法Ｈ３との関係をＨ１＞Ｈ２＞Ｈ３とするのは、髪に適度の摩擦抵抗を与えながら、髪を円滑に梳き流すためである。また、必要時には、歯本体５９およびテンションコーム６３による髪の捕捉を確実に行なえるようにして、髪処理を適切に行なうためである。
【００３３】
歯本体５９の機軸中心方向の隣接ピッチＰ２を、ブリッスル３６の機軸中心方向の隣接ピッチＰ１より小さく設定するのは、吹出口５２の外面を通過する髪を、隣接ピッチＰ２が小さな歯本体５９で確実に捕捉して梳き流すためである。このように、歯本体５９の隣接ピッチＰ２を小さくすると、髪を確実に捕捉できるが、反面、隣接ピッチが小さい分だけ髪の通過抵抗が増す。この通過抵抗を軽減するためもあって、先に説明したように歯本体５９の突出高さＨ１を小さくしている。
【００３４】
突起体５０の内端を、ブラシホルダー３３の外面に設けた規制枠６１で受け止めるようにすると、突起体５０が髪や頭皮に押し付けられるような場合に、突起体５０がブラシホルダー３３の側へ沈み込むのを規制枠６１で規制できる。したがって、突起体５０を常に適正な姿勢に保持して、髪を的確に梳き整えることができる。
【図面の簡単な説明】
【００３５】
【図１】本発明に係る整髪器具の要部構造を示す縦断側面図である。
【図２】ブローブラシの正面図である。
【図３】ブローブラシの側面図である。
【図４】イオン発生装置の概略を示す放電筒の断面図である。
【図５】ブローブラシの分解断面図である。
【図６】ブローブラシの正面図である。
【図７】ブローブラシの縦断側面図である。
【図８】吹出枠の拡大正面図である。
【図９】図７におけるＡ−Ａ線断面図である。
【図１０】図７におけるＢ−Ｂ線断面図である。
【図１１】ロールブラシの正面図である。
【図１２】ロールブラシの吹出口構造を示す縦断側面図である。
【図１３】本体ケースにおけるグリップ構造を示す正面図である。
【図１４】櫛歯体の別の変形実施例を示す横断平面図である。
【図１５】突起体の別の変形実施例を示す横断平面図である。
【図１６】整髪器具がヘアーブラシである実施例を示す縦断側面図である。
【図１７】ヘアーブラシの正面図である。
【図１８】図１６におけるＣ−Ｃ線断面図である。
【図１９】ヘアーブラシの別の実施例を示す正面図である。
【図２０】ヘアーブラシのさらに別の実施例を示す正面図である。
【図２１】ヘアーブラシのさらに別の実施例を示す正面図である。
【図２２】整髪器具がストレーターである実施例を示す正面図である。
【図２３】ストレーターを閉じた状態の縦断側面図である。
【図２４】ストレーターの別の実施例を示す正面図である。
【図２５】図２４のストレーターを閉じた状態の縦断側面図である。
【図２６】ストレーターのさらに別の実施例を示す正面図である。
【図２７】図２６のストレーターを閉じた状態の縦断側面図である。
【図２８】ストレーターのさらに別の実施例を示す一部破断正面図である。
【図２９】ストレーターのさらに別の実施例を示す一部破断正面図である。
【発明を実施するための形態】
【００３６】
（実施例）  図１ないし図１３は本発明の整髪器具をヘアーセッターに適用した実施例を示す。本発明における前後、左右、上下とは、図２および図３に示す交差矢印と、各矢印の近傍に表示した前後、左右、上下の文字表示に従うこととする。図２および図３に示すようにヘアーセッターは、上下に長い本体部１と、本体部１に交換装着される複数種のアタッチメントで構成する。具体的には、ブローブラシ（ブラシ部）２Ａ、ロールブラシ（ブラシ部）２Ｂ、および図示していないノズルがアタッチメントを構成する。
【００３７】
本体部１は、送風ファン３およびヒータ４などを内蔵する筒状の本体ケース５と、図２において本体ケース５の上端の本体吹出口６の側に固定される丸筒状の放電筒７とからなる。先のブローブラシ２Ａ、ロールブラシ２Ｂ、およびノズルは、それぞれ放電筒７に外嵌する状態で、後述する接続スリーブ１５に装着することにより、本体部１と一体化される。グリップを兼ねる本体ケース５の上部側面にはスイッチパネル９が設けられて、その外面にモーター１０、ヒータ４、イオン発生装置などの電気部品に対する通電状態を切り換えるスイッチノブ（スイッチ操作具）１２が設けてある。またスイッチノブ１２の上方には、放電筒７に装着したアタッチメントを取り外すためのロック解除用の解除ボタン１３が設けてある。送風ファン３は、本体ケース５の下端に設けた吸込口１１から吸い込んだ空気を加圧して本体吹出口６へ向かって送出する。
【００３８】
本体ケース５は、ケース中心軸に沿って前後に分割した一対の分割ケース５ａ・５ｂを接合して構成してあり（図１３参照）、その上端にアタッチメントを装着するための接続スリーブ１５が固定してある。接続スリーブ１５の内部に、放電筒７の下端が固定してある。放電筒７は丸筒状のプラスチック成形品からなり、その周囲壁には、後述する放電電極に対応する開口面積の大きなイオン送出口１６と、開口面積の小さな一群の通気口１７とがそれぞれ開口してある。イオン送出口１６は、放電筒７の上下方向２個所の前後壁に２個ずつ合計４個設けた（図４参照）。
【００３９】
ブローブラシ２Ａや、ロールブラシ２Ｂで髪処理を行なうとき、マイナスイオンを髪に送給するために、本体部１の内部にイオン発生装置を設けている。イオン発生装置は、本体ケース５の内部に配置されるイオン発生ユニット２０（図２参照）と、放電筒７の内部に配置される放電ユニット２１とからなる。図４に示すように、イオン発生ユニット２０は、商用電源から供給される１００Ｖの電流を半波整流する整流回路２２と、整流された電流をパルス電流に変換するパルス発生回路２３と、パルス電流を昇圧するトランス２４などで構成する。整流回路２２およびパルス発生回路２３が実装された基板と、トランス２４とは、直方体状にプラスチック成形された絶縁ブロック内に封入して一体化してある。
【００４０】
放電ユニット２１は、軸状の電極フレーム２６と、電極フレーム２６の上下の前後面に配置される４個の放電電極とで構成する。放電電極は、針状の放電電極２８と、Ｃ字リング状の周囲電極２９と、筒形のマイカからなる誘電筒３０とで構成してあり、両電極２８・２９の間で放電を行なってマイナスイオンを発生させる。イオン送出口１６から放出されたマイナスイオンは空気中の水分子と結合するので、マイナスイオンを髪に付着させることにより、髪表面の水分量を増加できる。
【００４１】
図５ないし図７においてブローブラシ２Ａは、中空のブラシホルダー３３と、その前面および後面に装着される、ブラシベース３４およびカバー３５と、ブラシベース３４に装着される一群のブリッスル３６などで構成する。ブラシホルダー３３の前面は、格子枠３７で覆われて通気自在になっており、本体ケース５から送給された温風や常温風を変向案内して、あるいは放電筒７から放出されるマイナスイオンを、格子枠３７の間から前向きに送出できる。格子枠３７の断面は部分円弧状に湾曲している。ブラシホルダー３３の下部には、先の接続スリーブ１５に装着される丸筒状の連結筒３８が一体に形成してあり、その内面の左右には先の解除ボタン１３と係合するロック溝３９が凹み形成してある。
【００４２】
ブリッスル３６は縦列ごとに一体に成形されたプラスチック成形品からなり、ブラシベース３４に対してその内面側から組み付けられて、ブラシベース３４の前面外方へ突出している。ブリッスル３６は、ブラシベース３４より硬質のプラスチック材で形成する。ブリッスル３６、および後述する歯本体５９は、それぞれブローブラシ２Ａの機軸中心に沿って直線列状に形成してある、ブラシベース３４のほぼ全面にわたって一群のブリッスル３６を設けることにより、後述する吹出口５１・５２の周囲をブリッスル３６で囲むことができる。なお、ブリッスル３６はやや軟質のプラスチック材で形成してあってもよい。ブラシベース３４とカバー３５とは図７に示すビス４０で締結固定してある。
【００４３】
ブラシベース３４は、ゴムやエアラストマーなどの耐熱性の軟質弾性材を素材とする成形品からなり、格子枠３７の外面を覆う四辺形状の主面壁４２と、主面壁４２の上下面および左右側面に設けた装着部４３とを一体に備えている。主面壁４２は、その断面が部分円弧状に湾曲させてあり、各装着部４３をブラシホルダー３３に係合装着することにより、主面壁４２を格子枠３７に密着固定できる。主面壁４２には、ブリッスル３６用の挿通穴の一群と、通気穴４４の一群とが交互に上下方向の直線列として形成してある。また、主面壁４２の中央部分においては挿通穴および通気穴４４を省略して、省略した縦長の領域に５個の通口４５・４６を設けている。５個の通口４５・４６のうち、上端および下端の通口４５は丸穴で形成し、残る３個の通口４６は四角形状に形成する。通口４５・４６が形成される縦長の領域の上下長さは、主面壁４２の上下長さの約半分である。
【００４４】
各通口４５・４６のうち、四角形の３個の通口４６の左右中央を上下に横切る状態で、突起体としての櫛歯体５０が設けてある。また、上記の通口４５・４６の外面に、吹出口枠４７を装着することにより、各通口４５・４６に対応する吹出口５１・５２を吹出口枠４７で区画している。図８に示すように吹出口枠４７は、耐熱プラスチック材を素材とする上下に長い梯子状の射出成形品からなり、上下端のそれぞれに通口４５に対応する丸穴状の吹出口５１が形成され、吹出口５１の間に３個の通口４６に対応する四角形状の吹出口５２が形成してある。各吹出口５１・５２は、梯子の踏み段状の区分壁５３で区分してある。上下の吹出口５１の内面には丸筒状の装着部５４が一体に設けてあり、装着部５４をブラシベース３４の外面側から通口４５に差し込み、ブラシベース３４の内面側において固定ピース５５を装着部５４に圧嵌係合することにより、吹出口枠４７をブラシベース３４に固定している。上記のブラシベース３４およびブリッスル３６は、それぞれブラシベース３４の内面に設けたブラシホルダー３３で受け止め支持される。
【００４５】
図７および図８において櫛歯体５０は、四角形の通口４６の左右中央を上下に跨ぐ歯基部５８と、歯基部５８の外面に突設される３個の歯本体５９と、隣接する歯本体５９の間の歯基部５８の外面に設けられる摩擦突起６０とで構成する。歯基部５８の横断面は長方形状に形成してある。歯本体５９は、上下厚みが小さく左右幅が大きな櫛歯からなり、その突端の左右両側が先すぼまり状に傾斜させてある（図１０参照）。摩擦突起６０は、隣接する歯本体５９の間を通過する髪に抵抗を付与するために設けられており、その横断面、すなわち髪梳き方向に沿う断面形状が山形に形成してある。
【００４６】
図１に示すよう、隣接する歯本体５９は摩擦突起６０を介して繋がっている。また、歯基部５８の上下端は、吹出口枠４７に設けた区分壁５３で受け止め保持してある。このように、隣接する歯本体５９を摩擦突起６０を介して連続させ、さらに、歯基部５８の上下端を区分壁５３で保持固定することにより、髪を梳き流すとき、歯本体５９が摩擦抵抗を受けて弾性変形するのを規制することができる。加えて、歯基部５８の内端をブラシホルダー３３に設けた規制枠６１で受け止めることにより、外力を受けた櫛歯体５０が、ブラシホルダー３３の内部へ凹むのを規制できる。
【００４７】
吹出口枠４７をブラシベース３４に固定した状態においては、歯基部５８の表面が吹出口枠４７の表面と面一になっており、歯本体５９および摩擦突起６０は、ブラシベース３４の主面壁４２、および吹出口枠４７の表面より外面に突出している。したがって、ブローブラシ２Ａで髪を梳く場合には、髪の一部を各歯本体５９で梳くことができ、隣接する歯本体５９の間を通過する髪に、摩擦突起６０で適度の摩擦抵抗を付与して、髪の絡まりを除去しながら的確に梳き流すことができる。
【００４８】
ブローブラシ２Ａで髪をカール処理する際に、梳き流される髪をより的確に捕捉してカール効果を向上するために、ブラシベース３４の両側面に、テンションコーム６３をブラシベース３４と一体に設けている。図９に示すように、テンションコーム６３は、それぞれ三角爪状に形成され、ブラシベース３４の側面からの突出長さが異なる３種のリブ６４・６５・６６で構成してあり、各リブ６４〜６６は一定間隔おきに配置してある。長さが異なる３種のリブ６４・６５・６６は、ブラシベース３４と正対する状態において、テンションコーム６３の全体の外形が連続波形になるように設けてある（図６参照）。
【００４９】
また、各リブ６４・６５・６６は、ブラシベース３４の側面と正対する状態で、前すぼまり状の二等辺三角形と後すぼまり状の二等辺三角形となるダイヤ形状に形成する。各リブ６４・６５・６６の前後長さは一定である。上記のように、各リブ６４・６５・６６をダイヤ形状に形成することにより、隣接する各リブ６４・６５・６６の間に隘路を形成して、テンションコーム６３で梳き流される髪に抵抗を与えることができる。さらに、各リブ６４・６５・６６のブラシベース側面からの突出寸法を大小に異ならせることにより、カール処理する際に髪が横ずれするのを規制することができる。
【００５０】
ブリッスル３６と、歯本体５９と、テンションコーム６３の寸法関係は次のように設定してある。図９に示すようにブリッスル３６のブラシベース３４の表面からの突出高さをＨ１、歯本体（櫛歯体）５９の吹出口枠４７の表面からの突出高さをＨ２、テンションコームのブラシベース３４の側面からの突出寸法をＨ３とするとき、各寸法が不等式（Ｈ１＞Ｈ２＞Ｈ３）を満足するように設定する。また、ブリッスル３６および歯本体５９は、それぞれブローブラシ２Ａの機軸中心に沿って直線列状に形成するが、歯本体５９の機軸中心に沿う方向の隣接ピッチＰ２は、ブリッスル３６の機軸中心に沿う方向の隣接ピッチＰ１より小さく設定してある（図７参照）。
【００５１】
使用状態において、本体ケース５の本体吹出口６から送出された乾燥風は、中空のブラシホルダー３３の内部へ送出され、さらに放電筒７に入り込んだ乾燥風は、その通気口１７を介して、ブラシベース３４に設けた通気穴４４から吹き出される。また、乾燥風と共にイオン送出口１６から送出されたマイナスイオンは、その多くが吹出口５１から送出され、同時に吹出口５２からも送出されて、ブリッスル３６に捕捉された髪に付着する。このとき、４個の放電電極で生成されたマイナスイオンの大半が、ブローブラシの片面に設けた吹出口５１・５２から集中的に送出されるので、より大量のマイナスイオンを髪に付着させて、潤い付与効果を向上することができる。また、４個の放電電極で生成したマイナスイオンを髪に送給するので、髪に到達するマイナスイオンの量を増強して髪処理作業を円滑に行なえる。
【００５２】
図１１および図１２においてロールブラシ２Ｂは、円筒状のブラシ筒７０と、先の接続スリーブ１５に装着される丸筒状の連結筒７１を一体に備えており、ブラシ筒７０の周囲壁には、櫛歯（ブリッスル）７２の直線列と、通気穴７３の直線列とが、ブラシ筒７０の全周面にわたって交互に形成してある。ブラシ筒７０の前後面の中央部分においては、櫛歯７２および通気穴７３を省略して、前後の省略した縦長の領域の上下に、丸穴からなる２個の通口４５と、四角形状の３個の通口４６を設けている。また、四角形の３個の通口４６の左右中央を上下に横切る状態で櫛歯体５０を設けている。
【００５３】
上記の通口４５・４６の外面に、吹出口枠４７を装着することにより、各通口４５・４６に対応する吹出口５１・５２を吹出口枠４７で区画している。吹出口枠４７は、先に説明した吹出口枠４７と概ね同じ構造になっており、上下端のそれぞれに通口４５に対応する丸穴状の吹出口５１が形成され、吹出口５１の間に３個の通口４６に対応する四角形状の吹出口５２が形成してある。各吹出口５１・５２は区分壁５３で区分してある。上下の吹出口５１の内面には丸筒状の装着部５４が一体に設けてあり、この装着部５４をブラシ筒７０の外面側から通口４５に差し込み、装着部５４に設けた係合爪７４を通口４５の段部７５に係合することにより、吹出口枠４７をブラシ筒７０に固定している。
【００５４】
櫛歯体５０は、ゴムやエアラストマーなどの耐熱性の軟質弾性材を素材とする成形品からなり、先に説明した櫛歯体５０と同様に、歯基部５８、歯本体５９、摩擦突起６０を一体に備えている。歯基部５８の内面に連続するベース部７６を、ブラシ筒７０に設けた歯受座７７と吹出口枠４７とで内外に挟持することにより、櫛歯体５０がブラシ筒７０に固定されている。ロールブラシ２Ｂを放電筒７に装着した状態においては、ブラシ筒７０の連結筒７１が接続スリーブ１５に外嵌して、ロールブラシ２Ｂの中心を放電筒７の中心に一致させ、上下の吹出口５１を、放電筒７のイオン送出口１６と正対させることができる。他の構成は、既に説明したとおりであるので、同じ部材に同じ符号を付してその説明を省略する。
【００５５】
使用状態において、本体ケース５の本体吹出口６から送出された乾燥風は、中空のブラシ筒７０の内部へ送出され、さらに放電筒７に入り込んだ乾燥風は、その通気口１７を介して、ブラシ筒７０に設けた通気穴７３から吹き出される。また、乾燥風と共にイオン送出口１６から送出されたマイナスイオンは、その多くが前後の吹出口５１から送出され、同時に前後の吹出口５２からも送出されて、櫛歯７２に捕捉された髪に付着する。したがって、ブラシ筒７０に巻き付けられた髪に、より大量のマイナスイオンを付着させて、潤い付与効果を向上することができる。
【００５６】
上記の整髪器具において、グリップを兼ねる本体ケース５の構造を以下の通り構成することにより整髪器具の操作性を向上して、ブロー処理や髪のくせ付けなどの髪処理を簡便にしかも的確に行なうことができる。図１３に示すように、スイッチパネル９は、本体ケース５の上部から下部にわたって配置されて、スイッチノブ１２が配置される操作部８０と、操作部８０の下部に連続する括れ部８１と、括れ部８１の下部に連続する脚部８２とを一体に備えている。操作部８０の前後幅をＢ１、括れ部８１の前後幅をＢ２、脚部８２の前後幅をＢ３とするとき、各部の幅寸法は、不等式（Ｂ１＞Ｂ３＞Ｂ２）を満足するように設定してあり、これによりスイッチパネル９の全体が、シャンペングラスを上下に引き伸ばした形状に形成してある。
【００５７】
既に説明したように、本体ケース５は、前後に分割した一対の分割ケース５ａ・５ｂで構成されて、全体が上すぼまり筒状に形成してある。詳しくは、図１３に示すように、本体ケース５の吸込口１１の側の筒端が最も直径が大きく、そこからスイッチノブ１２の近傍にわたって徐々に筒直径を小さくし、スイッチノブ１２の近傍から上端にわたって、小さな筒直径の円筒形状を維持している。図３に、筒直径が徐々に小さくなる領域を符号Ｇ１で示し、筒直径が小さな円筒状の領域を符号Ｇ２で示している。殆どの場合には符号Ｇ１で示す領域を右手あるいは左手で掴んで整髪作業を行なうが、使用者によっては符号Ｇ１の領域を掴んで整髪作業を行なうこともある。
【００５８】
本体ケース５を的確に掴み保持するために、スイッチパネル９に臨む本体ケース５の前後周面に指受面８３を設けている。指受面８３は、本体ケース５の下部から上部にわたって凹み形成（段落ち形成）され、かつ、その前後の周縁部８４・８５が、スイッチパネル９の周縁から本体ケース５の周方向に間隔をあけた状態で形成してある。指受面８３の前後の周縁部８４・８５は、スイッチパネル９を基準にして外突湾曲状に形成してあり、とくに、括れ部８１と、括れ部８１に臨む周縁部８４・８５との周方向の幅Ｍが、他の部位の周方向の幅に比べて大きく設定してある。この実施例では、図１３のＹ−Ｙ線断面図に示すように、括れ部８１と、括れ部８１に臨む周縁部８４・８５との周方向の幅Ｍを、本体ケース５の四半周面の周長に概ね一致させた。
【００５９】
本体ケース５の右側面の上半部周面、詳しくは操作部８０から括れ部８１にわたるケース周面にパネル受座８６を膨出して、その内部にスイッチパネル９の操作部８０を収容している。このように、筒直径が小さな円筒状の領域Ｇ２にパネル受座８６を膨出することにより、操作部８０の前後に段差の大きな指受段部８７が形成される。因みに、括れ部８１から脚部にわたるスイッチパネル９のパネル面は、本体ケース５の周面から僅かに膨出しているに過ぎない。
【００６０】
上記のように、スイッチパネル９の全体を、上下に引き伸ばされたシャンペングラス状に形成し、その前後周面に指受面８３を凹み形成し、さらに操作部８０の前後に指受段部８７を設けることにより、本体ケース５を片手で確りと掴むことができる。たとえば、図１３に想像線で示すように、親指をスイッチパネル９の前側の指受段部８７にあてがい、掌を前後の指受面８３にあてがい、さらに残る四指を本体ケース５の左側面に巻き付けて、本体ケース５を片手で確りと掴むことができる。また、ブローブラシ２Ａやロールブラシ２Ｂを使用するような場合に、指受面８３や指受段部８７で手指を受け止めて、手指が滑るのを解消できる。したがって、ヘアーセッターを使用して整髪を行なうときの操作性を向上して、ブロー処理や髪のくせ付けなどの髪処理を簡便にしかも的確に行なうことができる。因みに、右手で本体ケース５を掴む場合に、先に説明した掴み方とは逆に、親指をスイッチパネル９の後側の指受段部８７にあてがい、残る四指をスイッチパネル９の前側の指受面８３の周縁部８４に引っ掛けて、本体ケース５を確りと掴むことができる。
【００６１】
以上のように構成した整髪器具は次の形態で実施することができる。
グリップを兼ねる本体ケース５の一側面にスイッチパネル９を設けて、その外面に電気部品に対する通電状態を切り換えるスイッチ操作具１２を設ける。スイッチパネル９は本体ケース５の上部から下部にわたって配置して、スイッチ操作具１２が配置される操作部８０と、操作部８０の下部に連続する括れ部８１と、括れ部８１の下部に連続する脚部８２とを一体に備えている。操作部８０の前後幅をＢ１、括れ部８１の前後幅をＢ２、脚部８２の前後幅をＢ３とするとき、各部の幅寸法を、不等式（Ｂ１＞Ｂ３＞Ｂ２）を満足するように設定する。
【００６２】
操作部８０、括れ部８１、および脚部８２の前後幅を上記のように設定すると、本体ケース５を片手で握った状態において、その最外周面に露出するスイッチパネル９を利用して掌や指が滑るのを防止できる。また、括れ部８１を設けることによって、本体ケース５を片手で握るとき、スイッチパネル９が邪魔になるのを防止できる。したがって、ブローブラシ２Ａやロールブラシ２Ｂを使用者の意図通りに操作して、ブロー処理や髪のくせ付けなどの髪処理を簡便にしかも的確に行なうことができる。
【００６３】
本体ケース５は上すぼまり筒状に形成する。本体ケース５の周面の上半部に膨出したパネル受座８６にスイッチパネル９の操作部８０を収容して、操作部８０の前後に指受段部８７を形成する。括れ部８１から脚部８２にわたるスイッチパネル９のパネル面を、本体ケース５の周面から僅かに膨出させる。
【００６４】
上記のように、スイッチパネル９の操作部８０の前後に指受段部８７を形成すると、親指や人差し指を指受段部８７にあてがうことにより、掌や指が本体ケース５に対して滑るのを防止して、さらに確りと本体ケース５を掴むことができる。また、括れ部８１から脚部８２にわたるスイッチパネル９のパネル面は、本体ケース５の周面から僅かに膨出させるだけであるので、括れ部８１や脚部８２が本体ケース５を掴むときの邪魔になるのを解消できる。これにより、ブローブラシ２Ａやロールブラシ２Ｂを、機軸中心の回りに的確に回転させながら髪を梳き流すことができ、整髪器具による髪処理を誰もが簡便に行なえる。
【００６５】
スイッチパネル９の少なくとも前後いずれか一方の本体ケース５の周面に、スイッチパネル９の周縁に沿う指受面８３を設ける。指受面８３は、本体ケース５の下部から上部にわたって凹み形成（段落ち形成）し、かつ、その周縁部８４・８５をスイッチパネル９の周縁から本体ケース５の周方向へ間隔をあけた状態で形成する。
【００６６】
上記のように、スイッチパネル９の前後いずれかに凹面状の指受面８３を設けると、スイッチパネル９と指受面８３によって、本体ケース５の表面を凹凸面状にして滑りにくさを向上できる。しかも、片手で本体ケース５を握りしめたとき、指や掌を指受面８３にフィットさせることができる。したがって、本体ケース５をさらに確りと掴んで、髪処理作業を的確に、しかも簡便に行なえる。また、指受面８３の周縁部８４・８５を、スイッチパネル９の周縁から本体ケース５の周方向へ間隔をあけた状態で形成することにより、個人的な手指の大きさの違いとは無関係に、指や掌を指受面８３にフィットさせることができる。
【００６７】
指受面８３の周縁部８４・８５は、スイッチパネル９を基準にして外突湾曲状に形成する。括れ部８１と、括れ部８１に臨む周縁部８４・８５との周方向の幅Ｍを、他の部位の周方向の幅に比べて大きく設定する。
【００６８】
上記のように、指受面８３の周縁部８４・８５を外突湾曲状に形成して、括れ部８１と周縁部８４・８５との周方向の幅Ｍを他の部位の周方向の幅に比べて大きく設定すると、本体ケース５を片手で握った状態において、掌や指を指受面８３の広い範囲にわたって大きく密着できる。また、スイッチパネル９の周縁と、指受面８３の周縁部８４・８５とで掌や指を受け止めて、本体ケース５と手とが相対的に滑るのを防止できる。
【００６９】
図１４は、櫛歯体５０の別の変形実施例を示す。そこでは、ブラシベース３４を内面側から支持するブラシホルダー３３の格子枠３７に櫛歯体５０を一体に設けて、その歯本体５９をブラシホルダー３３と同じ硬質のプラスチック材で形成するようにした。歯本体５９を保持するためにブラシベース３４の通口４６の内部にボス９０を設け、このボス９０に設けた保持穴９１で歯本体５９を保持することにより、歯本体５９に過剰な外力が作用するのを規制している。ボス９０はブラシベース３４と一体に形成されて、通口４６の左右中央を上下に跨ぐ状態で形成されて、通口４６の上下の区分壁どうしを繋いでいる。この実施例においては、上下に隣接する歯本体５９の間に設けられる摩擦突起６０をボス９０と一体に形成した。他は先の実施例と同じであるので、同じ部材に同じ符号を付してその説明を省略する。
【００７０】
突起体５０は櫛歯体として構成する以外に、図１５に示すようにリブ状の突起体として構成することができる。詳しくは、区分壁５３の間に上下に長いリブ状の突起を設けて、これを突起体５０とすることができる。その場合には、吹出口５２の外面を通過する髪を突起体５０に接触させて、髪に適度のテンションを付与しながらゆっくりと滑らせることができ、したがって、加処理空気を髪に効果的に接触させて、髪処理効果を向上できる。
【００７１】
上記の実施例では、歯本体５９を平板状に形成したが、その必要はない。たとえば、歯本体５９の外形形状をひし形に形成して、隣接する歯本体５９の間に隘路部を形成し、歯本体５９の間を通過する髪により大きな通過抵抗を付与し、ブラッシング効果を向上できる。また、上記の実施例では、本体ケース５と本体吹出口６の側に固定される丸筒状の放電筒７とで本体部１を構成したがその必要はなく、放電筒７は省略することができる。その場合には、放電ユニット２１を本体ケース５の内部に配置するとよい。
【００７２】
ヘアードライヤーなどの整髪器具を過剰に使用し、あるいは髪を脱色し染めるような場合などに髪を傷めることがある。加齢に伴なって自然に髪が傷みやすくなることもある。いずれの場合にも、髪の表面からキューティクルが剥がれ落ち、髪のミクロ繊維がねじれて髪全体がうねり、髪の艶が低下する現象を招く。このようなダメージヘアを正常な状態に戻して、キューティクルを整え、髪のうねりを解消し、髪の艶を向上できるようにしたヘアーブラシ（整髪器具）を以下に説明する。
【００７３】
図１６および図１８においてヘアーブラシは、本体部１０１の上半部にブラシ部（髪処理部）１０２を有し、本体部１０１の下半部にグリップ部１０３を備えている。本体部１０１は、前ケース１０４と後ケース１０５とを接合して構成してある。ブラシ部１０２の前面には振動体１０６が設けられ、振動体１０６の基端内面には超音波振動源１０７が設けてある。また、ブラシ部１０２の内部にはスチーム供給装置（微少水滴供給装置）１０８が配置してある。グリップ部１０３の内部には電池１０９が収容してあり、グリップ部１０３の外面にはスイッチノブ１１０が設けてある。スイッチノブ１１０を切り換え操作することにより、超音波振動源１０７およびスチーム供給装置１０８への通電状態をオン状態と・オフ状態に切り換えることができる。
【００７４】
図１７に示すように振動体１０６は、ブラシ部１０２の表面に露出する縦長長方形状のベース体１１３と、ベース体１１３から突出する一群のブリッスル（突起）１１４とからなる。ベース体１１３は板状のアルミニウム成形品からなり、その板面にはブリッスル１１４を組み付けるための一群の装着穴１１５（図１６参照）が、内外貫通状に形成してある。ブリッスル１１４はアルミニウム成形品からなり、ベース体１１３の内面側から先の装着穴１１５に差し込み装着されて、ベース体１１３と一体化してある。ベース体１１３は、前ケース１０４の内面に固定してある。
【００７５】
超音波振動源１０７は、超音波振動を生成して振動体１０６に出力するために設けてあり、ベース体１１３の内面の上下２個所に配置されて、ブリッスル１１４の基端に密着している。超音波振動源１０７としては、市販の圧電セラミックス振動子を適用することができ、同振動源１０７から出力される超音波振動の振動の方向は、ブリッスル１１４の突出方向に一致させてある。したがって、ヘアーブラシで髪を梳き流すとき、梳き流し方向と直交する向きに髪を振動させることができる。図１７に示すように、ベース体１１３の中央部分には、加処理空気を供給する長円状の吹出口１１７が開口され、この吹出口１１７に５個の吹出口ブリッスル１１８が配置してある。さらに、吹出口１１７と対向する後ケース１２５の内部に、先のスチーム供給装置１０８を配置している。５個の吹出口ブリッスル１１８は、その基端に設けた鍵穴形のブリッスルベース１１９を介して一体化してある。ブリッスルベース１１９は、吹出口１１７を上下に跨ぐ状態で、後述するスチーム室１２６の上下壁に固定してある。
【００７６】
吹出口ブリッスル１１８は、ブリッスル１１４と同じアルミニウム成形品からなり、吹出口１１７の外面を通過する髪を梳き流すために設けてある。吹出口ブリッスル１１８の上下方向の隣接間隔は、ブリッスル１１４の上下方向の隣接間隔の半分に設定してある。また、図１６に示すように、吹出口ブリッスル１１８のベース体表面（ブラシ部表面）からの突出寸法は、ブリッスル１１４のベース体表面（ブラシ部表面）からの突出寸法より小さく設定してある。具体的には、前者の突出寸法を、後者の突出寸法の半分に設定している。
【００７７】
上記のように、吹出口１１７の外面を通過する髪を、隣接間隔が小さな吹出口ブリッスル１１８で小さな塊りとして梳き流すと、吹出口１１７から送出されるスチームと髪の接触機会を増加でき、さらに吹出口ブリッスル１１８で形成される隙間からスチームを浸透させることができる。反面、隣接間隔が小さい分だけ髪の通過抵抗が増すが、この通過抵抗を軽減するために、吹出口ブリッスル１１８のベース体表面からの突出寸法を小さくしている。
【００７８】
吹出口ブリッスル１１８を、ブリッスル１１４と同じ向きへ超音波振動させるために、ブリッスルベース１１９の内面に、先の超音波振動源１０７とは別の超音波振動源１２０を固定している。これらの超音波振動源１０７・１２０は、実質的に同じであるが、振動体１０６用の超音波振動源１０７は、その出力値が大きい分だけ外形が大きい。
【００７９】
スチーム供給装置１０８は、ヒータユニット１２３と、ヒータユニット１２３の外面に密着するフェルト体１２４と、フェルト体１２４に水、またはトリートメント水を供給するタンク１２５などで構成する。吹出口１１７と対向する後ケース１０５の内部には、スチーム室１２６が区画してあり、その内部にヒータユニット１２３とフェルト体１２４が収容してある。タンク１２５は、後ケース１０５の後面上部に設けたポケット１２７に着脱自在に装着してある。符号１２８は、タンク１２５内の水等をフェルト体１２４へ送給する給液チューブである。
【００８０】
上記のように構成したヘアーブラシによれば、スイッチノブ１１０をオン側へスライドすることにより、各超音波振動源１０７・１２０を作動させて、ブリッスル１１４および吹出口ブリッスル１１８を超音波振動させることができる。同時にヒータユニット１２３を起動して、フェルト体１２４に含まれる水またはトリートメント水を蒸発させ、蒸発した蒸気をスチーム室１２６から吹出口１１７を介してブラシ部表面へと送出できる。ヒータユニット１２３に換えて各超音波振動源１２０をフェルト体１２４に接触させる場合には、フェルト体１２４に含浸された水などをミスト化できる。また、ミスト化と同時に、超音波振動をブリッスル１１８へ伝動する構成とすることができる。
【００８１】
使用者は、上記のように使用可能な状態にしたヘアーブラシを、通常のヘアーブラシを使用するのと同様に、グリップ部１０３を掴んで、ブラシ部１０２に設けたブリッスル１１４で髪を梳き流す。このとき、吹出口１１７の外面を通過する髪は、吹出口ブリッスル１１８で梳き整えられながら、吹出口１１７から送出される蒸気に晒されて軟化する。また、各ブリッスル１１４・１１８に捕捉された髪は、各ブリッスル１１４・１１８を通過する間に超音波振動が伝動されて、梳き流し方向と直交する向きに振動する。したがって、髪を繰り返し梳き流すことにより、髪のミクロ繊維のねじれを除去し、髪表面のキューティクルを平滑に整えて、髪を直毛状に整えることができる。これにより、ダメージヘアを正常な状態に戻し、髪のうねりを解消し、髪表面の艶を健康な髪と同様な状態に修復することができる。
【００８２】
上記の実施例における微少水滴供給装置１０８としては、スチーム以外に、ミスト、あるいはマイナスイオンを供給する装置であってもよく、静電霧化装置であってもよい。
【００８３】
図１９ないし図２１は、それぞれヘアーブラシの変形実施例を示す。図１９に示すヘアーブラシにおいては、髪の梳き流し方向と交差する斜めのリブ壁で突起１１４を形成して、髪を突起１１４に強制的に密着できるようにする点が先の実施例と異なる。リブ壁で形成した突起１１４は、吹出口１１７の上下それぞれに３個ずつ設けるようにした。このヘアーブラシによれば、突起１１４の間を通過する髪に超音波振動を効果的に伝動して、髪表面のキューティクルを平滑に整えることができる。他は先に説明したヘアーブラシと同じであるので、同じ部材に同じ符号を付してその説明を省略する。以下に説明する整髪器具においても同じとする。
【００８４】
図２０に示すヘアーブラシは、各突起１１４をひし形に形成して、隣接する突起１１４の間に隘路部１３０を形成するようにした。また、ブラシ部１０２の内部に送風ファン１３１と、ファン駆動用のモーター１３２と、ヒータ１３３を配置して、温風（加処理空気）を吹出口１１７から吹き出し供給できるようにした。符号１３４は吸込口である。このヘアーブラシによれば、髪が突起１１４の間の隘路部１３０を通過する間にしごかれて集約されるので、髪を突起１１４に強制的に密着させながら梳き流すことができ、突起１１４の間を通過する髪に超音波振動を効果的に伝動して、髪表面のキューティクルを平滑に整えることができる。また、吹出口１１７の外面を通過する髪に温風を吹き付けながら、吹出口ブリッスル１１８で梳き整えることができる。
【００８５】
図２１に示すヘアーブラシは、ベース体１１３の全面にわたって波形の突起１１４を一定間隔おきに配置し、髪を突起１１４の波形形状に沿って梳き流すようにした。また、吹出口１１７を省略し、その代わりにＰＴＣヒータ（ヒータ）１３５をベース体１１３の内面に配置した。さらに、ベース体１１３の内面２個所に超音波振動源１０７を配置して、ＰＴＣヒータ１３５で加熱されたベース体１１３と突起１１４とに超音波振動を出力できるようにした。なお、ＰＴＣヒータ１３５の発熱温度は、ニクロム線ヒータの発熱温度に比べて低く設定してあり、髪を穏やかに加熱する。
【００８６】
上記のヘアーブラシによれば、波形の突起１１４の間を通過する間に、髪を突起１１４に強制的に密着させながら梳き流すことができ、突起１１４の間を通過する髪に超音波振動を効果的に伝動して、髪表面のキューティクルを平滑に整えることができる。また、ベース体１１３の外面を通過する髪を加熱しながら、各突起１１４で梳き整えることができる。この実施例のヘアーブラシは、とくに洗髪後の濡れた状態の髪や、保湿剤を塗布した状態の髪の傷みを修復するのに適している。
【００８７】
図２２ないし図２９は、主として髪のくせ伸ばしを行なうために使用されるストレーター（整髪器具）を示しており、そこでの前後、左右、上下とは、図２２および図２３に示す交差矢印と、各矢印の近傍に表示した前後、左右、上下の文字表示に従うこととする。なお、ストレーターとしては、一対の挟み腕１４１・１４２の対向面がフラット面であるストレーター以外に、先の対向面が波形に形成してあるワッフルヘアーアイロンであってもよい。
【００８８】
図２２および図２３に示すストレーターは、髪処理部１０２とグリップ部１０３とからなる、左右に長いしゃもじ状の一対の挟み腕１４１・１４２を有し、上下に対向配置した第１・第２の挟み腕１４１・１４２の側端どうしがヒンジ軸１４３で揺動開閉可能に連結してある。両挟み腕１４１・１４２による髪の挟み込み操作を簡便化するために、第２挟み腕１４２は揺動軸１４３の近傍に設けたばね１４４で開き勝手に揺動付勢されており、図２２に実線で示す開放姿勢に位置保持されている。この開放姿勢にある両挟み腕１４１・１４２のグリップ部１０３を片方の手で握り込むことによって、両挟み腕１４１・１４２の対向面の間に髪を挟むことができる。
【００８９】
両挟み腕１４１・１４２は、それぞれ中空ケース状に形成してあり、第１挟み腕１４１のグリップ部１０３の内部には電池１４５が配置され、外面にスイッチノブ１４６が設けてある。両挟み腕１４１・１４２の髪処理部１０２側の対向面には、加熱プレート１４７と加振プレート１４８とが配置してある。詳しくは、第１挟み腕１４１側の対向面に加熱プレート１４７を配置し、その内部にヒータユニット１４９を設けている。また、第２挟み腕１４２側の対向面に加振プレート１４８を配置し、その内部に超音波振動を生成して加振プレート１４８に出力する超音波振動源１５０を設けている。加振プレート１４８は、髪の梳き流し方向と直交する向き、すなわち図２３において上下方向に振動する。
【００９０】
加熱プレート１４７および加振プレート１４８は左右に長い四角形状のプレス金具からなり、互いの対向面が平端面になっている。したがって、両挟み腕１４１・１４２をばね１４４の付勢力に抗して閉じた状態においては、加熱プレート１４７と加振プレート１４８とは、図２３に示すように面接触状に接合できる。加熱プレート１４７に隣接する第１挟み腕１４１の前後縁に沿って、整髪コーム１５１の一群が左右に長い直線列状に形成してある。
【００９１】
以上のように構成したストレーターは、洗髪後の濡れた状態の髪や、保湿剤を塗布した状態の髪の傷みを修復するのに適しており、スイッチノブ１４６をオン操作して、ヒータユニット１４９および超音波振動源１５０を作動させた状態で使用する。使用時には、両挟み腕１４１・１４２の髪処理部１０２の間に髪を挟み、その状態を維持したままでストレーターを髪の毛先側へと滑らせる。このとき、加熱プレート１４７と接触する髪は加熱され、加振プレート１４８に接触する髪には超音波振動が伝動される。したがって、加熱プレート１４７と加振プレート１４８とで髪を繰り返し梳き通すことにより、軟化した髪のミクロ繊維のねじれを除去して、髪表面のキューティクルを平滑に整え、髪を直毛状に整えることができる。
【００９２】
図２４および図２５に示すストレーターは、図２２で説明したストレーターと同様に一対の挟み腕１４１・１４２で構成するが、その前後幅を左右幅に比べて大きくして、髪処理部１０２を、ヒンジ中心軸に沿う方向が長い縦横比の平板状に形成した。前後に長い四角形状の髪処理部１０２はグリップ部１０３を兼ねており、その対向面には、それぞれ加熱プレート１４７と加振プレート１４８を配置した。詳しくは、第１挟み腕１４１側の対向面の前半部に加熱プレート１４７を配置し、その内部にヒータユニット（ヒータ）１４９を設けている。また、第１挟み腕１４１側の対向面の後半部に加振プレート１４８を配置し、その内部に超音波振動源１５０を設けている。
【００９３】
同様に、第２挟み腕１４２側の対向面の前半部に加熱プレート１４７を配置し、その内部にヒータユニット１４９を設け、同腕１４２側の対向面の後半部に加振プレート１４８を配置し、その内部に超音波振動源１５０を設けている。さらに、上側の挟み腕１４１に設けた整髪コーム１５１の内面に超音波振動源１５２を設けるようにした。加振プレート１４８および整髪コーム１５１は、それぞれ図２５において上下方向に振動して、キューティクルのはがれを防止しながら、髪の中のミクロ繊維のねじれを除去できる。この実施例では、第１挟み腕１４１の前後縁と、前後中央の３個所に、整髪コーム１５１の一群を左右に長い直線列状に設けた。他は図２２で説明したストレーターと同じであるので、同じ部材に同じ符号を付してその説明を省略する。図２６以下のストレーターにおいても同じとする。
【００９４】
以上のように構成したストレーターは、スイッチノブ１４６をオン操作して、ヒータユニット１４９および超音波振動源１５０を作動させ、両挟み腕１４１・１４２の髪処理部１０２の間に髪を挟み、その状態を維持したままでストレーターを髪の毛先側へと滑らせる。このとき、加熱プレート１４７と接触して加熱された髪が、上下一対の加振プレート１４８の間を通過する。したがって、加熱された直後の髪に加振プレート１４８で超音波振動を作用させて、髪表面のキューティクルの修復をより効果的に行なうことができる。
【００９５】
図２６および図２７に示すストレーターは、基本的に図２２で説明したストレーターと同様に構成するが、第１挟み腕１４１の髪処理部１０２における髪の入口端と出口端、すなわち髪処理部１０２の前後に、マイナスイオンを供給する吹出口１５５を設け、その内部に放電ユニット１５６を配置した。図示していないイオン発生ユニットは第１挟み腕１４１の内部に配置する。放電ユニット１５６は、放電ベース１５７と、その下面に設けた放電電極１５８、周囲電極１５９、および誘電筒１６０などで構成する。両挟み腕１４１・１４２の対向面には、それぞれ加振プレート１４８を配置し、その内部に超音波振動源１５０を設けている。加振プレート１４８は、髪の梳き流し方向と直交する向き（上下方向）に振動する。
【００９６】
以上のように構成したストレーターは、スイッチノブ１４６をオン操作して、放電ユニット１５６および超音波振動源１５０を作動させた状態で使用する。両挟み腕１４１・１４２の髪処理部１０２の間に髪を挟むことにより、前後の吹出口１５５から送出されるマイナスイオンを髪に付着させることができ、その状態を維持したままでストレーターを髪の毛先側へと滑らせることにより、加振プレート１４８の間を通過する髪に超音波振動を伝動できる。したがって、マイナスイオンが付着した髪を加振プレート１４８で繰り返し梳き通すことにより、髪のミクロ繊維のねじれを除去して、髪表面のキューティクルを平滑に整えることができ、髪を直毛状に整えることができる。この実施例におけるストレーターは、放電ユニット１５６からマイナスイオンを供給できるので、乾燥した状態の髪であっても問題なく使用することができる。もちろん、洗髪後の髪や保湿剤を塗布した髪に適用することができる。
【００９７】
図２８および図２９に示すストレーターは、基本的に図２６で説明したストレーターと同じであるが、放電ユニット１５６の配置形態を変更する点が異なる。図２８のストレーターにおいては、第１挟み腕１４１のグリップ部１０３の側に、髪処理部１０２へ向かって開口する吹出口１５５を設け、その内部に放電ユニット１５６を配置した。また、図２９のストレーターにおいては、第１挟み腕１４１の対向面の中央に吹出口１５５を設け、その内部に放電ユニット１５６を配置した。これに伴ない、放電ユニット１５６の左右それぞれに加振プレート１４８を配置し、その内部に超音波振動源１５０を設けるようにした。上記のように、吹出口１５５および放電ユニット１５６は、髪処理部１０２の対向面に臨んで配置してあればよい。
【００９８】
図１６から図２９で説明した整髪器具は、以下の（１）〜（１３）の各形態で実施することができ、また（１）〜（１３）の各形態は相互に組み合わせた状態で実施することができる。
（１）  本体部１０１の髪処理部１０２に外面に、髪処理用の振動体１０６が設けられており、振動体１０６に超音波振動を出力する超音波振動源１０７が髪処理部１０２に設けてある整髪器具（図１６参照）。
【００９９】
上記の整髪器具によれば、髪処理用の振動体１０６を超音波振動源１０７で超音波振させながら髪処理を行なえる。たとえば、振動体１０６で髪を梳き流しながら、あるいは振動体１０６で髪を梳き通しながら、髪を超音波振動させることができる。このように、髪を繰り返し梳きながら超音波振動させると、髪のミクロ繊維のねじれを除去して、髪表面のキューティクルを平滑に整えることができ、髪を直毛状に整えることができる。したがって、ダメージヘアを正常な状態に戻し、髪のうねりを解消し、髪表面の艶を健康な髪と同様な状態に修復することができる。
【０１００】
（２）  振動体１０６が、髪処理部１０２に固定されるベース体１１３と、ベース体１１３から突出する突起１１４とを含み、超音波振動源１０７から振動体１０６に出力される超音波振動の振動方向が、突起１１４の突出方向と同じ向きである整髪器具。
【０１０１】
ベース体１１３と突起１１４とで振動体１０６を構成し、突起１１４の突出方向と同じ向きの超音波振動を髪に作用させると、突起１１４で髪を梳き流す際に、キューティクルが髪表面から剥がれ落ちるのを防ぎながら、髪表面を平滑に整えることができる。これは、整髪器具で髪を梳き流すとき、梳き流し方向と直交する向きに髪を振動させることにより、キューティクルが髪表面から剥がれ落ちるのを極力防止できるからである。
【０１０２】
（３）  突起１１４が配置される髪処理部１０２の表面に、加処理空気を供給する吹出口１１７が設けてある整髪器具。加処理空気は、加熱された空気、水蒸気または水分が付加された空気、マイナスイオンまたはオゾンが付加された空気などからなる。
【０１０３】
上記のような加処理空気を吹出口１１７から供給しながら髪処理を行なうと、髪を柔らかくすることができる。また、柔らかい状態の髪に超音波振動を作用させることにより、キューティクルの平滑作用と、髪のミクロ繊維のねじれ除去作用をさらに効果的に発揮することができる
【０１０４】
（４）  髪処理部１０２の内部に微少水滴供給装置１０８が設けられており、微少水滴供給装置１０８で生成した微少水滴を吹出口１１７から供給できる整髪器具。微少水滴供給装置１０８は、水またはトリートメント水などの蒸気またはミスト、あるいはマイナスイオンなどを生成する（図１６参照）。
【０１０５】
微少水滴供給装置１０８で、たとえば水蒸気やミストを供給すると、髪を湿らせて柔らかくすることができ、その状態で髪を梳きながら超音波振動を与えることにより、さらに確実にキューティクルを平滑化し、髪のミクロ繊維のねじれを除去できる。また、強制的に水蒸気やミストを供給できるので、乾燥した状態のダメージヘアであっても整髪器具で修復できる。
【０１０６】
（５）  本体部１０１の内部に、送風ファン１３１とヒータ１３３が設けられており、ヒータ１３３で加熱した温風を吹出口１１７から吹き出し供給できる整髪器具（図２０参照）。
【０１０７】
ヒータ１３３で加熱した温風を吹出口１１７から吹き出し供給すると、髪のたんぱく質を活性化して軟化することができ、その状態で髪を梳きながら超音波振動を与えることにより、確実にキューティクルを平滑化し、髪のミクロ繊維のねじれを除去できる。
【０１０８】
（６）  吹出口１１７の開口に、吹出口１１７の外面を通過する髪を梳き流す吹出口ブリッスル１１８が設けてある整髪器具（図１７参照）。
【０１０９】
吹出口１１７の開口に吹出口ブリッスル１１８を設けると、吹出口１１７の外面を通過する髪を吹出口ブリッスル１１８で梳き流しながら、吹出口１１７から供給した加処理空気を髪に付着できる。したがって、吹出口１１７の外面を通過する髪の絡みを解きほぐして、小さな髪束に分化した状態で加処理空気を付着でき、加処理空気と髪との接触機会を増加して髪処理効果を向上できる。
【０１１０】
（７）  吹出口ブリッスル１１８の髪処理部１０２の表面からの突出寸法が、突起１１４の髪処理部１０２の表面からの突出寸法より小さく設定してある整髪器具（図１６参照）。
【０１１１】
吹出口ブリッスル１１８の突出寸法を、突起１１４の突出寸法より小さく設定するのは、吹出口１１７の近傍外面を通過する髪のみを吹出口ブリッスル１１８で梳き流して、梳き流れた髪に対して加処理空気を効果的に浸透させるためである。
【０１１２】
（８）  吹出口ブリッスル１１８に超音波振動を出力する超音波振動源１２０が髪処理部１０２に設けてある整髪器具（図１６参照）。
【０１１３】
吹出口ブリッスル１１８を超音波振動源１２０で超音波振動させると、吹出口ブリッスル１１８で梳き流される髪に超音波振動を作用させることができ、したがって、吹出口１１７から供給される加処理空気による髪の軟化作用と相俟って、ダメージヘアの修復をさらに確実に行なえる。
【０１１４】
（９）  ベース体１１３の内部に、ヒータ１３５と超音波振動源１０７とが配置してある整髪器具（図２１参照）。
【０１１５】
ベース体１１３の内部に、ヒータ１３５と超音波振動源１０７を配置する整髪器具によれば、ベース体１１３の外面を通過する髪を加熱しながら、同時に超音波振動を作用させることができる。したがって、髪を整髪器具で繰り返し梳くことにより、ダメージヘアを速やかに修復できる。
【０１１６】
（１０）  第１・第２の挟み腕１４１・１４２を備えており、両挟み腕１４１・１４２の対向面の一方に、加熱プレート１４７と同プレート１４７を加熱するヒータ１４９が配置され、他方に、加振プレート１４８と同プレート１４８に超音波振動を出力する超音波振動源１５０が設けてある整髪器具（図２２参照）。
【０１１７】
第１・第２の挟み腕１４１・１４２の対向面に、加熱プレート１４７と加振プレート１４８を設け、両プレート１４７・１４８で髪を挟んで梳き通す整髪器具によれば、挟持した髪に対して熱と超音波振動を同時に作用させながら梳くことができる。そのため、加熱プレート１４７で拘束した状態の髪に温熱を確実に伝導でき、さらに加振プレート１４８で拘束した状態の髪に超音波振動を確実に伝動でき、全体としてダメージヘアの修復をさらに効果的に行なうことができる。
【０１１８】
（１１）  第１・第２の挟み腕１４１・１４２が、ヒンジ軸１４３で揺動開閉自在に連結されており、両挟み腕１４１・１４２は、ヒンジ中心軸に沿う方向が長い縦横比の平板状に形成されており、両挟み腕１４１・１４２のそれぞれに、ヒンジ中心軸に沿って加熱プレート１４７と加振プレート１４８とが配置してある整髪器具（図２５参照）。
【０１１９】
第１・第２の挟み腕１４１・１４２を、ヒンジ中心軸に沿って、たとえば長方形状に形成し、その対向面の長手方向に沿って加熱プレート１４７と加振プレート１４８とを配置すると、髪を梳くとき、一対の加熱プレート１４７で挟んだ髪を上下から同時に加熱できる。さらに、一対の加振プレート１４８で挟んだ髪に対して、上下から超音波振動を作用させることができる。したがって、両プレート１４７・１４８の間を通過する髪に対する加熱作用と、超音波振動作用とをさらに効果的に行なって、ダメージヘアの修復を確実かつ迅速に行なうことができる。
【０１２０】
（１２）  第１・第２の挟み腕１４１・１４２の対向面のそれぞれに加振プレート１４８が設けられており、一対の加振プレート１４８・１４８で挟持された髪にマイナスイオンを供給する吹出口１５５が髪処理部１０２に設けてある整髪器具（図２６、図２８および図２９参照）。
【０１２１】
髪処理部１０２に吹出口１５５を設け、一対の加振プレート１４８で挟持した髪に対してマイナスイオンを供給できるようにすると、マイナスイオンと結合した空気中の水分子を髪表面に付着させて、髪を柔らかくすることができる。また、柔らかになった髪を一対の加振プレート１４８で挟持して、超音波振動を上下両方から髪に作用させるので、髪に対する超音波振動作用を効果的に行なえ、全体として、ダメージヘアの修復を確実にしかも、迅速に行なえる。
【０１２２】
（１３）  髪処理部１０２における髪の入口端と出口端とのいずれか一方に臨んで、マイナスイオンを供給する吹出口１５５が髪処理部１０２に設けてある整髪器具（図２７参照）。
【０１２３】
吹出口１５５を髪処理部１０２における髪の入口端と出口端のいずれか一方に設けると、髪処理部１０２を構成する一対の挟み腕１４１・１４２で梳き通される髪の表面に、マイナスイオンと結合した水分子を付着させることができる。とくに、両挟み腕１４１・１４２の髪の入口端に吹出口１５５を設ける場合には、髪にマイナスイオンと結合した水分子を付着させたのち、両挟み腕１４１・１４２の間に髪を送り込むことになるので、効果的な髪処理を行なえる。
【符号の説明】
【０１２４】
１  本体部
２Ａ  ブローブラシ（ブラシ部）
２Ｂ  ロールブラシ（ブラシ部）
７  放電筒
２０  イオン発生ユニット
２１  放電ユニット
３３  ブラシホルダー
３４  ブラシベース
３６  ブリッスル
５０  突起体（櫛歯体）
５１・５２  吹出口
５８  歯基部
５９  歯本体
６０  摩擦突起
６３  テンションコーム
【図１】
0005612932.tif 000002
【図２】
0005612932.tif 000003
【図３】
0005612932.tif 000004
【図４】
0005612932.tif 000005
【図５】
0005612932.tif 000006
【図６】
0005612932.tif 000007
【図７】
0005612932.tif 000008
【図８】
0005612932.tif 000009
【図９】
0005612932.tif 000010
【図１０】
0005612932.tif 000011
【図１１】
0005612932.tif 000012
【図１２】
0005612932.tif 000013
【図１３】
0005612932.tif 000014
【図１４】
0005612932.tif 000015
【図１５】
0005612932.tif 000016
【図１６】
0005612932.tif 000017
【図１７】
0005612932.tif 000018
【図１８】
0005612932.tif 000019
【図１９】
0005612932.tif 000020
【図２０】
0005612932.tif 000021
【図２１】
0005612932.tif 000022
【図２２】
0005612932.tif 000023
【図２３】
0005612932.tif 000024
【図２４】
0005612932.tif 000025
【図２５】
0005612932.tif 000026
【図２６】
0005612932.tif 000027
【図２７】
0005612932.tif 000028
【図２８】
0005612932.tif 000029
【図２９】
0005612932.tif 000030